(57)【要約】【課題】電話機能を有しつつ、多数の人が見ることができる多機能表示装置を提供することを目的とする。【解決手段】タッチパネルを具備し、所定の検索操作を実行するための検索操作用表示装置と、上記検索操作用表示装置と併置され、上記所定の検索操作に対応する情報を表示する情報表示装置と、上記検索操作用表示装置と上記情報表示装置とを接続する接続部と、設置されている周辺を撮影するカメラと、設置されている周辺の音を入力するマイクと、所定の音を出力するスピーカとを有し、上記検索操作用表示装置の高さが、大人の身長の半分〜２倍程度であることを特徴とする多機能表示装置である。【選択図】図１
2007110315.tif 000002
【特許請求の範囲】
【請求項１】
タッチパネルを具備し、所定の検索操作を実行するための検索操作用表示装置と；
上記検索操作用表示装置と併置され、上記所定の検索操作に対応する情報を表示する情報表示装置と；
上記検索操作用表示装置と上記情報表示装置とを接続する接続部と；
設置されている周辺を撮影するカメラと；
設置されている周辺の音を入力するマイクと；
所定の音を出力するスピーカと；
を有することを特徴とする多機能表示装置。
【請求項２】
請求項１において、
上記カメラと上記マイクと上記スピーカが、上記接続部に設けられていることを特徴とする多機能表示装置。
【請求項３】
請求項１において、
テレビ会議機能と；
放送テレビ用チューナと；
を有することを特徴とする多機能表示装置。
【発明の詳細な説明】
【技術分野】
【０００１】
本発明は、多機能を有する表示装置に関する。
【背景技術】
【０００２】
従来の携帯電話機は、単に通話ができるだけではなく、メールを送受信することができ、所定情報を検索することができる（たとえば、特許文献１参照）。
【０００３】
また、従来の携帯電話機は、テレビ電話の機能をも有する。
【特許文献１】特許公開２００５―１８４３６６公報
【発明の開示】
【発明が解決しようとする課題】
【０００４】
しかし、従来の携帯電話機は、その表示部が小型であるがために、１つの携帯電話を多数の人が見たい場合に、多数の人が見ることができないという問題がある。
【０００５】
また、従来の携帯電話機は、テレビ電話機能を有するものがあるが、テレビ会議を行なうことができないという問題がある。
【０００６】
さらに、従来の携帯電話機は、小型であるがために、ＨＤＤ、ＤＶＤ等の大容量のメモリを搭載することができないという問題がある。
【０００７】
本発明は、電話機能を有しつつ、多数の人が見ることができる多機能表示装置を提供することを目的とする。
【０００８】
また、本発明は、テレビ会議を行なうことができる多機能表示装置を提供することを目的とする。
【０００９】
さらに、本発明は、大容量のメモリを搭載することができる多機能表示装置を提供することを目的とする。
【課題を解決するための手段】
【００１０】
本発明は、タッチパネルを具備し、所定の検索操作を実行するための検索操作用表示装置と、上記検索操作用表示装置と併置され、上記所定の検索操作に対応する情報を表示する情報表示装置と、上記検索操作用表示装置と上記情報表示装置とを接続する接続部と、設置されている周辺を撮影するカメラと、設置されている周辺の音を入力するマイクと、所定の音を出力するスピーカとを有し、上記検索操作用表示装置の高さが、大人の身長の半分〜２倍程度であることを特徴とする多機能表示装置である。
【発明の効果】
【００１１】
本発明によれば、電話機能を有しつつ、多数の人が見ることができ、また、多機能表示装置が人目を引くという効果を奏する。
【発明を実施するための最良の形態】
【００１２】
発明を実施するための最良の形態は、以下の実施例である。
【実施例１】
【００１３】
図１は、本発明の実施例１である多機能表示装置１００を示すブロック図である。
【００１４】
多機能表示装置１００は、その外観形状が、携帯電話機の形状であり、検索操作用表示装置１０と、情報表示装置２０と、接続部３０と、カメラ３１と、マイク３２と、スピーカ３３、３４と、ＴＶ会議送受信回路４１と、地上デジタルテレビ放送チューナ４２と、ＨＤＤ／ＤＶＤのドライブ４３と、ＶＴＲ４４と、ＡＶスイッチャ４５と、オーディオミキサ５１と、制御用パソコン６１と、増設ボード６２と、表示用パソコン６３と、キャプチャボード６４と、赤外線リモコン制御ユニット７０とを有する。
【００１５】
また、検索操作用表示装置１０の全体の高さが大人の身長の半分〜２倍程度であり、たとえば、１〜３ｍである。したがって、多機能表示装置１００の全体の高さは、大人の人間の背丈以上である。
【００１６】
図２は、検索操作用表示装置１００を示す図である。
【００１７】
検索操作用表示装置１０は、タッチパネルを具備し、所定の検索操作を実行するための表示装置であり、テンキー１１と、予備のキー１２、１３と、イベント会場等の会場の案内を選択する会場案内選択キー１４と、地上デジタルＴＶを選択する地上デジタルＴＶ選択キー１５と、観光案内を選択する観光案内選択キー１６と、カメラ３１の動作を選択するカメラキー１７と、ｉモード選択キー１８とを有する。
【００１８】
情報表示装置２０は、検索操作用表示装置１０と併置されている表示装置であり、ＴＶの映像、テレビ会議における相手の映像、観光案内等の映像、ＨＤ、ＤＶＤ、ビデオテープに格納されている映像等を表示する。
【００１９】
接続部３０は、検索操作用表示装置１０と情報表示装置２０との間に設けられ、検索操作用表示装置１０と情報表示装置２０とを接続する部分である。また、接続部３０に、カメラ３１と、マイク３２と、スピーカ３３、３４とが設けられている。
【００２０】
カメラ３１は、多機能表示装置１００の前面に存在する人、乗り物、建物、風景などを撮影するものである。
【００２１】
マイク３２は、多機能表示装置１００の近傍で発生する音を拾うものである。
【００２２】
スピーカ３３、３４は、多機能表示装置１００の相手装置からの音声、地上デジタルテレビ放送で受信した音声、ＨＤ、ＤＶＤに格納されている音声等を出力するものであり、接続部３０の両サイドに設置されている。
【００２３】
ＴＶ会議送受信回路４１は、ＴＶ電話会議を実行する場合に、自分の映像信号、音声信号を、ＴＶ電話会議の相手に送信し、また、相手の画像信号、音声信号を受信する回路である。
【００２４】
地上デジタルテレビ放送チューナ４２は、地上デジタルテレビ放送を受信する場合に動作するチューナである。
【００２５】
ＨＤＤ／ＤＶＤ４３は、ＨＤ（ハードディスク）、ＤＶＤを駆動するドライブである。
【００２６】
ＴＶ会議送受信回路４１、地上デジタルテレビ放送チューナ４２、ＨＤＤ／ＤＶＤ４３、ＶＴＲ４４は、赤外線リモコン制御ユニット７０からの赤外線信号によって、制御される。
【００２７】
ＡＶスイッチャ４５は、オーディオ信号と、映像信号との切り替えを行うものである。
【００２８】
オーディオミキサ５１は、オーディオ信号を混合するものである。
【００２９】
制御用パソコン６１は、検索操作用表示装置１０に、Ｒ、Ｇ、Ｂの各画像信号と、水平、垂直同期信号とを送り、テンキー１１、予備キー１２、１３、会場案内選択キー１４、地上デジタルＴＶ選択キー１５、観光案内選択キー１６、カメラキー１７、ｉモード選択キー１８を表示させる。また、制御用パソコン６１は、検索操作用表示装置１０から入力されたデータを、取り込み、表示用パソコン６３に送る。
【００３０】
増設ボード６２は、制御用パソコン６１の機能を増加するものである。
【００３１】
表示用パソコン６３は、情報表示装置２０を制御する。
【００３２】
キャプチャボード６４は、ＡＶスイッチャ４５を介して、ビデオ信号を取り込む。
【００３３】
赤外線リモコン制御ユニット７０は、赤外線を使用して、ＴＶ会議送受信回路４１と、地上デジタルテレビ放送チューナ４２と、ＨＤＤ／ＤＶＤ４３と、ＶＴＲ４４とを制御する。
【００３４】
次に、上記実施例の動作について説明する。
【００３５】
図３は、多機能表示装置１００を人Ｈが操作している例を示す図である。
【００３６】
たとえば、会場案内キー１４に人Ｈが触れると、多機能表示装置１００が設置されている会場の案内が情報表示装置２０に表示される。この場合、会場の各フロア、各階、各イベントコーナーのリストを表示し、この表示されている中から人Ｈが、テンキー１１を使用して選択できるようにしてもよい。
【００３７】
地上デジタルＴＶ選択キー１５に人Ｈがタッチし、所望の放送局のチャンネルに対応する数をテンキー１１で押すと、その地上デジタルＴＶの内容が、情報表示装置２０に表示される。
【００３８】
また、観光案内選択キー１６を人Ｈが触れる、観光案内が選択され、所定の観光案内が情報表示装置２０に表示される。カメラキー１７を人Ｈが触れると、カメラ３１が動作を開始し、多機能表示装置１００の前面に存在している人等を撮影し、情報表示装置２０に表示する。
【００３９】
多機能表示装置１００の高さの真中程に、カメラ３１が設けられているので、このカメラ３１の位置が、大人の人間の目線とほぼ同じ高さであるので、検索操作用表示装置１０の前に立っている人間を撮影する位置としては、最適な位置である。
【００４０】
ｉモード選択キー１８を人Ｈが触れると、インターネット経由で、天気予報、ニュース、株式等、種々の情報を入手することができ、それらを情報表示装置２０に表示する。
【００４１】
次に、上記実施例においてゲームを実行する動作について説明する。
【００４２】
上記実施例は、ゲーム機能を有する。つまり、たとえば、予備のキー１２に、「その他の機能」を表示し、予備のキー１３に、「決定」を表示していたとする。この場合、「その他の機能」キー１２を押す（タッチする）毎に、キー１４に、「ゲーム」、「占い」、「うまい店」、「お勧めスポット」、「今日の主なニュース」、「天気予報」等、興味を引きそうなタイトルが、順次、表示される。ここで、たとえば、「ゲーム」が、キー１４に表示されているときに、ＨＤＤ４３を介してＨＤに格納されている種々のゲームのリストが、通し番号とともに、情報表示装置２０に表示される。
【００４３】
ゲームリストの中から、所望のゲーム名とともに表示されている番号を、テンキー１１を使用して、押し（タッチし）、決定キー１３を押す（タッチする）と、その所望のゲームが、情報表示装置２０に表示され、開始される。
【００４４】
また、映画の宣伝をすることができる。
【００４５】
ゲーム、映画の宣伝以外に、占い、うまい店、お勧めスポットの各プログラムは、ＤＶＤなどに格納することができるが、今日の主なニュース、天気予報等、そのデータを予め格納しておくことができないデータについては、図示しないコネクタ、インターネット等を介して、サーバ等に接続し、必要なデータを取り込み、情報表示装置２０に表示する。
【００４６】
テレビ会議機能と、テレビ放送受信機能とを有する。
【００４７】
上記実施例である多機能表示装置１００は、電話機能を有しつつ、情報表示装置２０が大きいので、１つの装置１００で多数の人が見ることができる。また、多機能表示装置１００は、テレビ会議を行なうことができる。さらに、多機能表示装置１００は、ＨＤ、ＤＶＤ、ビデオテープ等の大容量のメモリを搭載することができる。
【００４８】
上記実施例を、電子看板として使用することができる。たとえば、携帯電話のコマーシャルとして使用することができる。また、新曲の発表に利用することができる。多機能表示装置１００は、外観的にも特徴があるので、人目を引き、この宣伝効果が大きい。
【００４９】
多機能表示装置１００の高さの真中程に、マイク３２が設けられているので、このマイク３２の取り付け位置が、大人の人間の口の高さとほぼ同じ高さであるので、検索操作用表示装置１０の前に立っている人間が発する音声を確実に拾うことができる。
【００５０】
また、多機能表示装置１００の高さの真中程に、スピーカ３３、３４が設けられているので、このスピーカ３３、３４の位置が、大人の人間の耳の高さとほぼ同じ高さであるので、検索操作用表示装置１０の前に立っている人間の声を確実に収録することができる。
【００５１】
上記実施例では、ＨＤＤ、ＤＶＤ、ＶＴＲデッキが設けられているが、ＨＤＤ、ＤＶＤ、ＶＴＲデッキのうちの少なくとも１つが設けられていればよい。
【図面の簡単な説明】
【００５２】
【図１】本発明の実施例１である多機能表示装置１００を示すブロック図である。
【図２】検索操作用表示装置１００を示す図である。
【図３】多機能表示装置１００を人Ｈが操作している例を示す図である。
【符号の説明】
【００５３】
１００…多機能表示装置、
１０…検索操作用表示装置、
２０…情報表示装置、
３０…接続部、
３１…カメラ、
３２…マイク、
３３、３４…スピーカ、
４１…ＴＶ会議用送受信回路、
４２…デジタルテレビ放送用チューナ、
４３…ＨＤＤ／ＤＶＤ、
４４…ＶＴＲ、
５１…オーディオミキサ、
６１…制御用パソコン、
６２…増設ボード、
６３…表示用パソコン、
６４…キャプチャボード、
７０…赤外線リモコン制御ユニット。
【図１】
2007110315.tif 000003
【図２】
2007110315.tif 000004
【図３】
2007110315.tif 000005